(57)【要約】【課題】簡便に脱着でき、かつ、頭表の正しい位置に電極を容易に配置可能な脳波電極保持具を提供する。【解決手段】脳波電極保持具１は、頭部の周囲に配置する本体部２と、本体部２に取り付けられた複数の支持部３と、少なくとも一部の支持部３の先端側に設けられ、本体部の内側に支持された脳波電極４と、を備え、本体部２は、手指を挿通させて脳波電極に触れることができる大きさの開口部を有し、脳波電極４は、基端側を支持部３によって支持され、可撓性を有し弾性変形する可撓部６と、可撓部の先端側に設けられ、頭表に接触させる電極部５と、を有し、可撓部６は、電極部５を支持部の軸線から離間させる方向に移動させるまで変形でき、可撓部６は、電極部５に頭表との接触圧を加え、可撓部６は、頭表に沿って略平行方向に移動させた電極部５にも頭表との接触圧を加える。【選択図】図１
2018094054.tif 000002
【特許請求の範囲】
【請求項１】
頭部の周囲に配置する本体部と、
前記本体部に取り付けられた複数の支持部と、
少なくとも一部の前記支持部の先端側に設けられ、前記本体部の内側に支持された脳波電極と、
を備える脳波電極保持具であって、
前記本体部は、手指を挿通させて前記脳波電極に触れることができる大きさの開口部を有し、
前記脳波電極は、
基端側を前記支持部によって支持され、可撓性を有し弾性変形する可撓部と、
前記可撓部の先端側に設けられ、頭表に接触させる電極部と、を有し、
前記可撓部は、前記電極部を前記支持部の軸線から離間させる方向に移動させるまで変形でき、
前記可撓部は、前記電極部に前記頭表との接触圧を加え、
前記可撓部は、前記頭表に沿って略平行方向に移動させた前記電極部にも前記頭表との接触圧を加える、
脳波電極保持具。
【請求項２】
複数の前記支持部において、前記一部を除いた残部のうち、少なくとも一部の先端側に設けられ、前記本体部の内側に支持された固定パッドを、さらに備える請求項１に記載の脳波電極保持具。
【請求項３】
前記可撓部は、前記電極部を前記支持部の軸線と重ならない位置まで移動させるまで変形する、
請求項１または２に記載の脳波電極保持具。
【請求項４】
前記支持部は、前記脳波電極を長尺軸により支持しており、
前記長尺軸を進退させ、また、前記長尺軸と前記本体部のなす角度を変更することで、
前記脳波電極の位置を変更することができる、
請求項１に記載の脳波電極保持具。
【請求項５】
前記支持部は、前記固定パッドと前記脳波電極を長尺軸により支持しており、
前記長尺軸を進退させ、また、前記長尺軸と前記本体部のなす角度を変更することで、
前記固定パッドと前記脳波電極の位置を変更することができる、
請求項２に記載の脳波電極保持具。
【発明の詳細な説明】
【技術分野】
【０００１】
本発明は、脳波信号を計測するための電極を固定する保持具に関する。
【背景技術】
【０００２】
脳波測定は、近年、医学の分野にとどまらず、工学、心理学、スポーツ科学やゲームの分野でも行われている。被験者の脳波を計測して解析することで、生理状態や心理状態に関する情報を得ることができる。
例えば、脳波測定により測定した生体電気信号を、マーケティングや操作インタフェースなど、医療目的以外の用途に用いる例が増加している。特にこういった用途において、計測の簡便性の向上や利用者に対する負荷の軽減が強く求められている。
【０００３】
脳波の測定を容易に行うために、脳波を測定するための電極を備えた脳波電極保持具が用いられている。脳波電極保持具には予め脳波を測定するために電極が備えられており、頭部に装着することで、電極を頭表に接触させ、接触した状態を維持することができる。
【０００４】
計測の簡便性の向上や利用者の負荷の軽減のためには、脳波電極保持具の脱着時の簡便性の向上が必要である。
特許文献１には、脱着時の簡便性の向上のため、柔軟な伸縮性素材で作成されたネットキャップに電極が設置されたヘッドギアが記載されている。
【０００５】
一方で、装着中においては、脳波測定によって安定して情報を得るために、頭表の正しい位置に電極を配置し、電気的に安定した接触を得ることが重要である。
特許文献２には、測定精度を向上させるために、頭表との接触圧を最適に保つことができる脳波測定用の電極を備えたヘルメットが記載されている。
特許文献３には、電極と頭表との電気的接触を改善するために用いられる導電性のペーストやジェルを必要せず、ばねによって頭表の形の違いを吸収する電極脳波計測用のドライ電極が記載されている。
【先行技術文献】
【特許文献】
【０００６】
【特許文献１】特開２００２−１７７２３１号公報
【特許文献２】特許第４２１６８８４号公報
【特許文献３】特開２０１３−２４０４８５号公報
【発明の概要】
【発明が解決しようとする課題】
【０００７】
脳波電極保持具の脱着時の簡便性の向上のためには、脳波を測定する電極が頭表に対して柔軟に接するように配置し、電極や頭表が損傷することを防止する必要がある。すなわち、脱着時において電極は脳波電極保持具に対して固定せず自由度が高い方がよい。
一方で、装着中においては、頭表の正しい位置に電極を配置し、電気的に安定した接触を得る必要がある。すなわち、装着中において電極は正しい脳波測定のために所望の位置に固定されている方がよい。また、頭表の形などの個体差を装着中に調整できる方がよい。
これら異なる二つの要求を満たす脳波電極保持具が望まれている。
【０００８】
本発明は、上記の事情に鑑みなされたもので、簡便に脱着でき、かつ、装着中において頭表の正しい位置に電極を容易に配置可能な脳波電極保持具を提供することを目的とする。
【課題を解決するための手段】
【０００９】
上記課題を解決するために、この発明は以下の手段を提案している。
本発明の脳波電極保持具は、頭部の周囲に配置する本体部と、前記本体部に取り付けられた複数の支持部と、少なくとも一部の前記支持部の先端側に設けられ、前記本体部の内側に支持された脳波電極と、を備える脳波電極保持具であって、
前記本体部は、手指を挿通させて前記脳波電極に触れることができる大きさの開口部を有し、前記脳波電極は、基端側を前記支持部によって支持され、可撓性を有し弾性変形する可撓部と、前記可撓部の先端側に設けられ、頭表に接触させる電極部と、を有し、前記可撓部は、前記電極部を前記支持部の軸線から離間させる方向に移動させるまで変形でき、前記可撓部は、前記電極部に前記頭表との接触圧を加え、前記可撓部は、前記頭表に沿って略平行方向に移動させた前記電極部にも前記頭表との接触圧を加える。
【００１０】
本発明の脳波電極保持具は、複数の前記支持部において、前記一部を除いた残部のうち、少なくとも一部の先端側に設けられ、前記本体部の内側に支持された固定パッドをさらに有してもよい。
【００１１】
本発明の脳波電極保持具においては、前記電極部を前記支持部の軸線と重ならない位置まで移動させるまで変形することが好ましい。
【００１２】
本発明の脳波電極保持具においては、前記支持部は、前記脳波電極を長尺軸により支持しており、前記長尺軸を進退させ、また、前記長尺軸と前記本体部のなす角度を変更することで、前記脳波電極の位置を変更してもよい。
【００１３】
本発明の脳波電極保持具においては、前記支持部は、前記固定パッドと前記脳波電極を長尺軸により支持しており、前記長尺軸を進退させ、また、前記長尺軸と前記本体部のなす角度を変更することで、前記固定パッドと前記脳波電極の位置を変更してもよい。
【発明の効果】
【００１４】
本発明によれば、簡便に脱着でき、かつ、頭表の正しい位置に電極を容易に配置可能な脳波電極保持具を提供することができる。
【図面の簡単な説明】
【００１５】
【図１】本発明の一実施形態の脳波電極保持具である。
【図２】図１のＡ１における断面図である。
【図３】本発明の一実施形態の脳波電極保持具の支持部および脳波電極である。
【図４】本発明の一実施形態の脳波電極保持具の電極部である。
【図５】本発明の一実施形態の脳波電極保持具の支持部および脳波電極である。
【図６】本発明の一実施形態の脳波電極保持具の支持部および脳波電極である。
【図７】本発明の一実施形態の脳波電極保持具の支持部および脳波電極である。
【図８】本発明の一実施形態の脳波電極保持具の支持部および脳波電極である。
【図９】本発明の一実施形態の脳波電極保持具の変形例である。
【図１０】本発明の一実施形態の脳波電極保持具の変形例である。
【図１１】本発明の一実施形態の脳波電極保持具の変形例である。
【図１２】本発明の一実施形態の脳波電極保持具の変形例である。
【図１３】本発明の一実施形態の脳波電極保持具の変形例である。
【図１４】本発明の一実施形態の脳波電極保持具の変形例である。
【発明を実施するための形態】
【００１６】
以下、図１〜１４を参照して本発明の一実施形態について説明する。なお、図面を見やすくするため、各構成要素の厚さや寸法の比率は適宜調整されている。
【００１７】
図１に示すように、脳波電極保持具１は、本体フレーム部２（本体部）と、支持部３と、脳波電極４と、固定パッド７と、顎紐８と、を備える。図２は図１のＡ１における断面図である。
【００１８】
本体フレーム部２は、例えば、硬質素材のフレームで形成されており、頭部の周囲に配置可能な半球状の外形を有する。フレーム構造のため、本体フレーム部２の内側に支持された脳波電極４を直接手で触れることが可能である。そのため、装着中に脳波電極４の位置調整等が容易に行える。
本体フレーム部２はフレーム状でないもの、例えば硬質素材のヘルメットや柔軟性を有する帽子であってもよい。フレーム状でなくとも、ヘルメットや帽子に手指を挿通可能な大きさの開口部を有し、内側に支持された脳波電極４を直接手で触れることができるものであればよい。
本体フレーム部２は半球状の外形でないもの、例えば、ヒトデ型などの放射状フレーム形状や、多面体形状、半球の一部が欠けた形状等であってもよい。また、詳細は後述するが、図１２に示される本体フレーム部２の変形例である本体フレーム部２Ａのように、ベルトで形成されていてもよい。
本体フレーム部２には、複数の支持部３が取り付けられている。
【００１９】
支持部３は、図３に示すように、位置調整ネジ３１と、位置調整ネジ３１と係合する固定ボルト３２と、位置調整ネジ３１と接続された取手３３と、を有する。固定ボルト３２は本体フレーム部２に取り付けられている。位置調整ネジ３１は、長尺軸に沿って固定ボルト３２と係合しており、また、本体フレーム部２を貫通している。取手３３を回すことにより、位置調整ネジ３１を長尺軸に沿って進退移動させることができる。
少なくとも一部の支持部３は後述する脳波電極４を、本体フレーム部２の内側に支持する。残部の支持部３のうち、少なくとも一部の支持部３は後述する固定パッド７を、本体フレーム部２の内側に支持する。ここで、固定パッド７は必ずしも必要ではない。詳細は後述するが、図１４に示される本体フレーム部２の変形例である本体フレーム部２０のように、固定パッド７を備えない本体フレーム部２０を直接、頭部の周囲に配置してもよい。
また、支持部３は、位置調整ネジ３１を長尺軸に沿って進退移動させることで、脳波電極４や固定パッド７の位置を頭表に対して垂直方向に調整することができる。
なお、以降の説明において、頭表に対して垂直方向を、単に垂直方向という。また、頭表や本体フレーム部２の接線方向を、水平方向という。
【００２０】
脳波電極４は、電極部５と可撓部６とを有する。図４に示すように、電極部５は、電極基材５１と、複数の電極ピン５２とを有する。電極基材５１に複数の電極ピン５２を配置することで、頭髪Ｈを掻き分けて電極ピン５２を頭表Ｓと接触させ、電極ピン５２と頭表Ｓとの間に電気的に安定した接触を得ることができる。
【００２１】
電極ピン５２の先端を頭表に接触させて脳波の測定を行う。電極ピン５２には、ドライ電極を使用することが望ましい。ドライ電極を用いることで、導電ペーストを塗布することなく、頭毛を有する頭表に電極を接触させることができ、脱着時の簡便性の向上や電極と頭表との電気的接触の改善に有効である。
【００２２】
各電極ピン５２には、電極基材５１を介して、不図示の信号線が接続されており、各信号線は脳波電極によって測定された信号を集積する装置に接続されている。
【００２３】
電極ピン５２の本数を増やすことで、好適に脳波の信号を測定することが可能である。頭部のより頭頂部に近い電極部５の電極ピン５２の本数を増やした方が、より好適に脳波の信号を測定することできる。
【００２４】
可撓部６は、可撓性と伸縮性を備える、例えばコイルばねである。可撓部６は、図３に示すように、基端側が支持部３の位置調整ネジ３１に支持されており、先端側に電極基材５１が取り付けられている。可撓部６が変形しない状態において、支持部３の位置調整ネジ３１の進退方向と、電極部５の電極ピン５２の向きが一致している。
可撓部６が収縮等することで、支持部３に対する電極部５の位置や角度の変更や調整が可能である。
可撓部６は、コイルバネに限るものではなく、外力による電極部５の位置や角度の操作を可能とする構成であれば、可撓性や伸縮性のある樹脂部材や金属部材、多関節の機械的な機構、それらの組み合わせなどでもよい。
【００２５】
可撓部６は、三種類の動作を行う。
第一に、図６に示すように、電極部５を支持部３の軸線から離間させる方向に移動させるまで変形できる。電極部５を支持部３の軸線と重ならない位置まで移動させることが好ましい。
第二に、電極部５が頭表と接している場合に、電極部５に頭表との接触圧を加える。
第三に、図７に示すように、電極部５を頭表に沿って略平行方向に移動させた場合にも、電極部５に頭表との接触圧を加える。
【００２６】
実験者が、脳波電極４が支持された支持部３の取手３３を回すことによって、脳波電極４を頭表に対して垂直方向に移動させ、電極部５の接触圧を適正に調整できる。
電極ピン５２の位置あるいは接触圧の調整の手段は、硬質素材の本体フレーム部２と位置調整ネジ３１の組み合わせに限るものではない。例えば、硬質素材のフレームとネジ以外の、例えばスライド機構などの位置調整機構を組み合わせてもよい。
【００２７】
固定パッド７は、脳波電極４の頭表との接触状態の影響を受けることなく、本体フレーム部２を頭部の周囲に安定して固定する。
【００２８】
固定パッド７が支持された支持部３の取手３３を回すことにより、固定パッド７を頭表に対して垂直方向に移動させ、頭表に対する固定パッド７の位置を調整できる。
【００２９】
顎紐８は、本体フレーム部２に接続された紐である。被験者の顎に顎紐８の一部を引っかけることにより、本体フレーム部２を頭部の周囲に安定して固定することができる。
【００３０】
次に使用時の動作について説明する。はじめに、脳波電極保持具１を被験者に装着させる。装着時は、電極部５の電極ピン５２が被験者の頭表に接触して、電極ピン５２で頭表が損傷されたり、電極ピン５２自体が損傷することを防止する必要がある。
図５に示すように、被験者が脳波電極保持具１を装着する際に、電極ピン５２と被験者の頭表とのなす角度が垂直に近い状態で、電極ピン５２と被験者の頭表とが接触することがある。被験者が装着動作を継続したとしても、図６に示すように、可撓部６は変形し、電極部５を支持部３の軸線から離間させる方向に移動させる。図６中の矢印方向である脳波電極保持具１の移動方向とは逆方向に電極部５を移動させる。電極部５を、支持部３の軸線と重ならない位置まで移動させることが好ましい。この可撓部６の動作により、電極ピン５２の先端で頭表が損傷されたり、電極ピン５２自体が損傷することを防止できる。
【００３１】
脳波電極保持具１を被験者に装着させる際は、固定パッド７を被験者の頭表に接触させる。いずれかの固定パッド７と被験者の頭表との間に隙間がある場合は、当該固定パッドを支持する支持部３の位置調整ネジ３１を頭表の垂直方向に移動させて隙間をなくす。これにより、本体フレーム部２を頭部の周囲に安定して固定できる。
【００３２】
次に、電極部５の電極ピン５２を頭表に接触させる。脳波電極保持具１を装着する際に、可撓部６が湾曲して移動した電極部５を直接手で移動させ、当該電極部５の電極ピン５２を頭表に接触させる。
電極ピン５２と頭表との接触圧が不足する場合は、当該脳波電極４を支持する支持部３の位置調整ネジ３１を頭表の垂直方向に移動させて接触圧を調整する。
【００３３】
図４に示すように、電極ピン５２は、頭表の接触部位によって接触状態が大きく変動するため、接触圧の調整だけでは適正な接触状態を得られず、頭表と適切な角度を保ちつつ、接触位置を頭表に沿って微調整する必要がある。
そのような微調整を行うため、図７で示すように、微調整したい電極部５を直接手で移動させる。可撓部６を変形させ、電極部５を頭表に沿って略平行方向に移動させる。この場合においても、可撓部６は、電極部５に頭表との接触圧を加えることができる。
【００３４】
このように、脳波電極保持具１を頭部に装着させた状態で、電極部５の位置や角度の微調整を行うことができる。電極部５の位置や角度を微調整するために、脳波電極保持具１の脱着を行う必要がない。接触状態の確認を行いながら、信号の品質が悪い電極部５の電極ピン５２の位置や角度を調整し、信号測定の精度を上げていくことができる。
【００３５】
脳波信号の測定後、脳波電極保持具１を被験者から外す。電極部５が頭表に接触している状態から、脳波電極保持具１を外す場合、図８に示すように、可撓部６は変形し、電極部５を支持部３の軸線から離間させる方向に移動させる。図８中の矢印方向である脳波電極保持具１の移動方向とは逆方向に電極部５を移動させる。電極部５を、支持部３の軸線と重ならない位置まで移動させることが好ましい。この可撓部６の動作により、電極ピン５２の先端で頭表が損傷されたり、電極ピン５２自体が損傷することを防止できる。
【００３６】
本実施形態の脳波電極保持具１によれば、脳波電極保持具１の着脱時において、電極ピン５２と被験者の頭表とのなす角度が垂直に近い状態で、電極ピン５２と被験者の頭表とが接触したとしても、可撓部６が湾曲することで、電極の破損や変形を防ぐとともに、電極ピン５２の先端で頭表が損傷されることを防止できる。
また、脳波電極保持具１を装着中においても、電極部５を直接手で移動させることができる。そのため、装着中に脳波電極４の位置調整等が容易に行える。
また、脳波電極保持具１の装着中に、電極部５の位置調整のために電極部５を頭表に沿って略平行方向に移動させた場合も、電極部５に頭表との接触圧を加えることができる。
【００３７】
（変形例）
次に、脳波電極４の変形例を示す。
図９に示すように、脳波電極４の変形例である脳波電極４Ａは、電極部５Ａと伸縮部６Ａとを有する。
電極部５Ａは、電極基材５１Ａと、電極ピン５２Ａと、取付け部５３Ａとを有している。電極ピン５２Ａは、電極基材５１Ａに対して固定されておらず、取付け部５３Ａを介して接続されている。取付け部５３Ａは、電極ピン５２Ａの端部を回動可能に支持している。また、取付け部５３Ａは、電極ピン５２Ａを電極基材５１Ａに対して垂直方向に復元する復元力を電極ピン５２Ａに付加する。
伸縮部６Ａは、垂直方向に伸縮可能な芯棒と、芯棒の周囲に配置されたコイルばねとを有している。伸縮部６Ａは、垂直方向にしか伸縮しない。
【００３８】
電極ピン５２Ａの先端に水平方向の力を加えると、伸縮部６Ａは水平方向に移動しないが、電極ピン５２Ａの先端側は水平方向に移動する。電極ピン５２Ａには、取付け部５３Ａにより、元の位置に戻る復元力が加わる。伸縮部６Ａと取付け部５２Ａにより、脳波電極４の可撓部６と同様、電極ピン５２Ａの先端を移動させることができる。
この脳波電極４Ａによれば、脳波電極保持具１の着脱時において、電極ピン５２Ａと被験者の頭表とのなす角度が垂直に近い状態で、電極ピン５２Ａと被験者の頭表とが接触したとしても、電極部５Ａを支持部３の軸線から離間させる方向に移動させ、電極の破損や変形を防ぐとともに、電極ピン５２Ａの先端で頭表が損傷されることを防止できる。また、取付け部５３が復元力を有するため、電極部５Ａが頭表に沿って略平行方向に移動された場合であっても、電極ピン５２Ａと頭表との接触圧が保たれる。
なお、取付け部５３Ａを設けなくとも、電極ピン自体を弾性変形する材質で形成しても同様の効果が得られる。
【００３９】
図１０に示すように、支持部３の変形例である支持部３Ａは、位置調整ネジ３１と、位置調整ネジ３１と係合する固定ボルト３２Ａと、位置調整ネジ３１と接続された取手３３と、固定ボルト３２Ａと回転軸３２Ｃを介して接続された取付け部３２Ｂと、を有する。取付け部３２Ｂは、本体フレーム部２に固定されている。固定ボルト３２Ａと位置調整ネジ３１は、回転軸３２Ｃを中心に回転することができる。
【００４０】
この支持部３Ａによれば、脳波電極保持具１の着脱時において、電極ピン５２と被験者の頭表とのなす角度が垂直に近い状態で、電極ピン５２と被験者の頭表とが接触したとしても、回転軸３２Ｃを中心に固定ボルト３２Ａと位置調整ネジ３１が回転することで、電極の破損や変形を防ぐとともに、電極ピン５２の先端で頭表が損傷されることを防止できる。
【００４１】
図１１に示すように、脳波電極４の変形例である脳波電極４Ｂは、電極部５と伸縮部６Ｂとを有する。伸縮部６Ｂは、伸縮部６Ａと同様、水平方向に伸縮可能な芯棒とコイルばねを有している。伸縮部６Ｂは、垂直方向にしか伸縮しない。伸縮部６Ｂは、さらに回転軸６２を有し、電極部５と回転軸６２を介して接続されている。
【００４２】
伸縮部６Ｂと回転軸６２により、脳波電極４の可撓部６と同様、電極部５を移動させることができる。
この脳波電極４Ｂによれば、脳波電極保持具１の着脱時において、電極ピン５２と被験者の頭表とのなす角度が垂直に近い状態で、電極ピン５２と被験者の頭表とが接触したとしても、回転軸６２を中心に電極部５が回転することで、電極ピン５２の破損や変形を防ぐとともに、電極ピン５２の先端で頭表が損傷されることを防止できる。
また、支持部３Ａと組み合わせて用いれば、電極部５が頭表に沿って略平行方向に移動された場合であっても、電極ピン５２に頭表との接触圧を加えることができる。
【００４３】
図１２に示すように、本体フレーム２の変形例である本体フレーム２Ａは、伸縮性素材のベルトである。支持部３Ｂにより、可撓部６は本体フレーム２Ａに接続されている。支持部３Ｂは、可撓部６を直接支持しており、位置調整ネジ３１や、固定ボルト３２や、位置調整ネジ３１や、取手３３を有していない。
この本体フレーム２Ａによれば、脳波電極保持具１の着脱を簡便にできる。また、本体フレーム２Ａはベルト状であるため、装着中に脳波電極４を直接手で触れることが可能である。また、電極ピン５２と被験者の頭表とのなす角度が垂直に近い状態で、電極ピン５２と被験者の頭表とが接触したとしても、可撓部６が湾曲し電極部５が回転することで、電極ピン５２の破損や変形を防ぐとともに、電極ピン５２の先端で頭表が損傷されることを防止できる。
【００４４】
図１３に示すように、本体フレーム２の変形例である本体フレーム２Ｂは、スライド式のサイズ調整部１４２を有している。硬質素材のフレーム１４１に可撓部６を装着する。硬質素材のフレーム１４１をスライド式のサイズ調整部１４２に対してスライドさせることで、被験者の頭部の形状に合わせて、電極部５の位置を調整できる。
電極ピン５２と被験者の頭表とのなす角度が垂直に近い状態で、電極ピン５２と被験者の頭表とが接触したとしても、可撓部６が湾曲し電極部５が回転することで、電極ピン５２の破損や変形を防ぐとともに、電極ピン５２の先端で頭表が損傷されることを防止できる。
【００４５】
図１４に示すように、本体フレーム部２の変形例である本体フレーム部２０は、固定パッド７を備えていない。本体フレーム部２０が直接、頭部の周囲に配置される。
本体フレーム部２０は、例えば、硬質素材で形成されており、頭部の周囲に配置可能な半球状の外形を有する。また、本体フレーム部２０は、支持部３が取り付けられる複数の凸部２１を有している。少なくとも一部の支持部３は脳波電極４を、本体フレーム部２０の内側に支持する。凸部２１は内部が空洞になっており、凸部２１の内部に脳波電極４が配置される。
凸部２１は、開口部を有しており、内側に支持された脳波電極４を直接手で触れることができる。
【００４６】
この本体フレーム２０によれば、脳波電極保持具１の着脱時において、電極ピン５２と被験者の頭表とのなす角度が垂直に近い状態で、電極ピン５２と被験者の頭表とが接触したとしても、可撓部６が湾曲することで、電極の破損や変形を防ぐとともに、電極ピン５２の先端で頭表が損傷されることを防止できる。
また、脳波電極保持具１を装着中においても、電極部５を直接手で移動させることができる。そのため、装着中に脳波電極４の位置調整等が容易に行える。
また、脳波電極保持具１の装着中に、電極部５の位置調整のために電極部５を頭表に沿って略平行方向に移動させた場合も、電極部５に頭表との接触圧を加えることができる。
【００４７】
以上、本発明の一実施形態について図面を参照して詳述したが、具体的な構成はこの実施形態に限られるものではなく、本発明の要旨を逸脱しない範囲の設計変更等も含まれる。また、上述の一実施形態および変形例において示した構成要素は適宜に組み合わせて構成することが可能である。
【符号の説明】
【００４８】
１    脳波電極保持具
２、２Ａ、２Ｂ、２０  本体フレーム部
３、３Ａ、３Ｂ  支持部
３１  位置調整ネジ
３２  固定ボルト
３３  取手
４、４Ａ、４Ｂ  脳波電極
５、５Ａ    電極部
５１  電極基材
５２  電極ピン
６    可撓部
６Ａ、６Ｂ    伸縮部
７    固定パッド
８    顎紐
【図１】
2018094054.tif 000003
【図２】
2018094054.tif 000004
【図３】
2018094054.tif 000005
【図４】
2018094054.tif 000006
【図５】
2018094054.tif 000007
【図６】
2018094054.tif 000008
【図７】
2018094054.tif 000009
【図８】
2018094054.tif 000010
【図９】
2018094054.tif 000011
【図１０】
2018094054.tif 000012
【図１１】
2018094054.tif 000013
【図１２】
2018094054.tif 000014
【図１３】
2018094054.tif 000015
【図１４】
2018094054.tif 000016